(57)【要約】【課題】簡単な構造でアースクリップの脱落を確実に防止し、強度が高く耐久性がある接地クリップ金具を提供する。【解決手段】床面や壁面に突設された金属製の板体１２である被挟持部１６と、被挟持部１６の長手方向に沿う一方の側面に沿って形成された突部である取付板１８を備える。被挟持部１６は、金属製の板体１２によりＬ字形に形成された一方の側面から成り、他方の側面が床面や壁面に重ねて取り付けられる設置部１４となる。被挟持部１６に先端が接続され基端が接地されるアース母線１９が接続され、一対の挟持腕２２を有するアースクリップ２０が、被挟持部１６の長手方向に対して交差して、取付板１８をまたいで被挟持部１６を挟み、アースクリップ２０が被挟持部１６に係止される。【選択図】図１
2008243442.tif 000002
【特許請求の範囲】
【請求項１】
床面や壁面に突設された金属製の板体である被挟持部と、前記被挟持部の長手方向に沿う一方の側面に沿って形成された突部とを備え、前記被挟持部に先端が接続され基端が接地されるアース母線が接続され、一対の挟持腕を有するアースクリップが前記被挟持部の長手方向に対して交差して前記突部をまたいで前記被挟持部を挟んで接続され、前記アースクリップが前記突部に係止されることを特徴とする接地クリップ金具。
【請求項２】
前記被挟持部は、金属製の板体によりＬ字形に形成された一方の側面から成り、他方の側面が床面や壁面に重ねて取り付けられる設置部であり、前記被挟持部は床面や壁面からほぼ直角に立設し、前記突部を形成する取付板が重ねられて固定されていることを特徴とする請求項１記載の接地クリップ金具。
【請求項３】
前記被挟持部は、Ｌ字形に折り曲げられた前記金属板を二つ合わせて設けられ、前記被挟持部同士が重ねられ、前記設置部が互いに反対方向へ延出され、前記突部は前記被挟持部から一体に形成されていることを特徴とする請求項１記載の接地クリップ金具。
【発明の詳細な説明】
【技術分野】
【０００１】
この発明は、アースクリップを装着してアース電位を確保する接地クリップ金具に関する。
【背景技術】
【０００２】
従来、床面や壁面にアースクリップを装着してアース電位を確保する場合、地面に接続されている接地線をそのまま立ち上げておくか、アース棒を差していた。また床面や壁面に、地面に接続された接地クリップ金具を設ける場合もある。接地クリップ金具としては、例えば図３に示す接地バー１が用いられる。接地バー１は、金属製の板状の本体２から成り、本体２の一端部はＬ字形に折り曲げられて被挟持部３が設けられている。本体２には一対のボルト穴が設けられ、取付部材４を介して床面や壁面にボルト５で固定されている。接地バー１は、壁面の内側でアース電位に接続されている。接地バー１の使用方法は、タンクローリ等に取り付けられたアースクリップを、本体２の被挟持部３に取り付け、アースを確保する。
【０００３】
また、特許文献１には、アースクリップの着脱を簡便に行い、アースクリップの脱落を防止するアースクリップ用の導電棒が開示されている。これは、高圧開閉器の接続端子に一方向に長い板状のアースクリップ用の導電棒を固定し、導電棒の長手方向の端部に電力線が接続されている。導電棒の中央部分はアースクリップ用の被挟持部となり、被挟持部は、アースクリップが接続される側面が９０度捻り変形されて、導電棒と正対する側からアースクリップを被挟持部に着脱できるようにしたものである。
【特許文献１】特開２００４−１５３８７６号公報
【発明の開示】
【発明が解決しようとする課題】
【０００４】
上記従来の技術の場合、床面や壁面から接地線を立ち上げただけものは経年により切断されることがあり、また外観も良好では無かった。さらに、アース棒は、折れ曲がることもあった。図３に示す接地バー１は、被挟持部３が本体２をＬ字形に折り曲げて設けられただけであり、滑り止めがなく、アースクリップが不用意に外れるおそれがある。同様に、特許文献１に開示されたアースクリップ用の導電棒も、被挟持部が板状であり、アースクリップの抜け落ちを防止する構造ではなかった。
【０００５】
この発明は、上記従来の技術の問題点に鑑みてなされたものであり、簡単な構造でアースクリップの脱落を確実に防止し、強度が高く耐久性がある接地クリップ金具を提供することを目的とする。
【課題を解決するための手段】
【０００６】
本発明は、床面や壁面に突設された金属製の板体である被挟持部と、前記被挟持部の長手方向に沿う一方の側面に沿って形成された突部とを備え、前記被挟持部に先端が接続され基端が接地されるアース母線が接続され、一対の挟持腕を有するアースクリップが前記被挟持部の長手方向に対して交差して前記突部をまたいで前記被挟持部を挟んで接続され、前記アースクリップが前記突部に係止される接地クリップ金具である。
【０００７】
前記被挟持部は、金属製の板体によりＬ字形に形成された一方の側面から成り、他方の側面が床面や壁面に重ねて取り付けられる設置部であり、前記被挟持部は床面や壁面からほぼ直角に立設し、前記突部を形成する取付板が重ねられて固定されているものである。
【０００８】
また、前記被挟持部は、Ｌ字形に折り曲げられた前記金属板を二つ合わせて設けられ、前記被挟持部同士が重ねられ、前記設置部が互いに反対方向へ延出され、前記突部は前記被挟持部から一体に形成されているものである。
【発明の効果】
【０００９】
本発明の接地クリップ金具は、簡単な構造でアースクリップの脱落を確実に防止することができる。従って、防爆エリア等での作業やタンクローリなどでの給油の際、確実にアースを確保することができ、安全である。また、強度が高く耐久性がある。
【発明を実施するための最良の形態】
【００１０】
以下、この発明の実施形態について図面に基づいて説明する。図１、図２はこの発明の一実施形態を示すもので、この実施形態の接地クリップ金具１０は、金属製の板体１２が設けられ、板体１２は一方向に長く設けられ、中心付近でＬ字形に折り曲げられ又は削り出されている。屈曲した一方の部分は、床面や壁面に重ねて取り付けられる設置部１４であり、他方の部分は床面や壁面からほぼ直角に立設する被挟持部１６である。設置部１４には透孔が設けられ、ボルト１５で床面や壁面に固定されている。
【００１１】
被挟持部１６の、長手方向に沿う一方の側縁部１６ａは、後述するアースクリップ２０が挟持する部分であり、側縁部１６ａに沿って、被挟持部１６よりも幅が狭い取付板１８が設けられている。取付板１８は、被挟持部１６のＬ字形の内側に位置する側面１６ｂに取り付けられ、取付板１８と被挟持部１６には互いに貫通するネジ穴が設けられ、ネジ１７で固定されている。取付板１８の厚み方向の側面１８ａは、被挟持部１６の側面１６ｂから立ち上がる突部となる。そして被挟持部１６の、Ｌ字方の外側に位置する側面１６ｃは、同形の板体１２が互いに対称に設けられている。同形の板体１２は、側面１６ｃ同士が合わされ、設置部１４は互いに反対方向へ延出し、床面や壁面にボルト１５で固定されている。
【００１２】
ここで一対の板体１２は、床面または壁面の内側に設けられたアース母線１９に接続され、接地電位に接続されている。
【００１３】
次に、この実施形態の接地クリップ金具１０の使用方法について図２に基づいて説明する。接地クリップ金具１０に取り付けるアースクリップ２０は、一対の挟持腕２２と、両挟持腕２２同士を開閉自在に軸支する軸２４と、一対の挟持腕２２の先端同士が接近する向きに両挟持腕２２を揺動付勢する図示しないバネで構成されている。挟持腕２２の先端には、互いに対向する一対の接触歯２６が設けられ、挟持腕２２の他方の端部には絶縁性の握り部２８が設けられている。握り部２８の一方には、アースコード３０が引き出されている。接触歯２６は、アースコード３０に電気的に接続されている。
【００１４】
アースクリップ２０は、例えばタンクローリ等、静電気を放電しなければ危険な装置等に接続されている。そして、タンクローリ等のアースを確保するときは、アースクリップ２０の握り部２８を保持して接地クリップ金具１０の接触歯２６を開き、重ねられた一対の被挟持部１６を挟む。これにより、アースクリップ２０は、バネの付勢力によって、被挟持部１６を両方の側面１６ｂから一定の力で挟持し、電気的に接続されてタンクローリ等との電位差を無くす。
【００１５】
このとき、アースクリップ２０の接触歯２６は、被挟持部１６の側面１６ｂに接触し、アースクリップ２０の接触歯２６よりも軸２４に近い部分に、挟持腕２２にまたがれて取付板１８が位置する。取付板１８の側面１８ａが突部となり、アースクリップ２０が外れる方向に移動すると接触歯２６が取付板１８の側面１８ａに当接し係止される。アースクリップ２０を外すときは、握り部２８を保持して、接触歯２６同士の間隔が取付板１８よりも大きくなるまで挟持腕２２を開き、取り外す。
【００１６】
この実施形態の接地クリップ金具１０によれば、簡単な構造でアースクリップ２０の脱落を防止して、確実にアースを確保することができる。アースコード３０等に不用意に引く方向に力が加えられてもアースクリップ２０の接触歯２６が取付板１８に当接し、被挟持部１６から抜けることがない。このためアースクリップ２０に接続されたタンクローリ等のアースを完全に確保することができ、安全である。アースクリップ２０を外すときは、挟持腕２２を大きく開くことで簡単に取り外すことができ、操作が簡単である。接地クリップ金具１０は板体１２で作られたシンプルな形状であり、板体１２が２枚重ねて設置されるため、多少の衝撃では変形せず耐久性がある。また、接地クリップ金具１０の取り付け方法は、設置部１４をボルト１５で固定するだけであり、壁面や床面のいろいろな場所に取り付けることができる。
【００１７】
なお、この発明の接地クリップ金具は、上記実施の形態に限定されることはなく、図３に示すように、１枚の断面Ｌ字状の板体１２の被挟持部１６の両端縁部又は一方の端縁部取付板１８を床面や壁面等に固定するものでも良い。また、図４に示すように、断面がコ字状の板体１２の一端部を設置部１４とし、この設置部１４と平行な他方の端部を被挟持部１６として形成したものでも良い。これらの設置クリップ金具１０によっても、上記実施形態と同様の効果を得ることができる。
【００１８】
さらに、この発明の接地クリップ金具の形状は適宜変更可能であり、突部の作り方は、取付板を設ける以外に、被挟持部の先端を折り返して形成してもよく、折り返し方は、Ｌ字形でも二つ折りでもよい。接地クリップ金具は板体を一枚で設けてもよい。また接地クリップ金具は、いろいろな接続端子に適用することができる。
【図面の簡単な説明】
【００１９】
【図１】この発明の一実施形態の接地クリップ金具の斜視図である。
【図２】この実施形態の接地クリップ金具の使用状態を示す断面図である。
【図３】この発明の他の実施形態の接地クリップ金具の斜視図である。
【図４】この発明のさらに他の実施形態の接地クリップ金具の斜視図である。
【図５】従来の技術の接地クリップ金具の斜視図である。
【符号の説明】
【００２０】
１０  接地クリップ金具
１２  板体
１４  設置部
１６  被挟持部
１８  取付板
１９  アース母線
２０  アースクリップ
２２  挟持腕
２６  接触歯
【図１】
2008243442.tif 000003
【図２】
2008243442.tif 000004
【図３】
2008243442.tif 000005
【図４】
2008243442.tif 000006
【図５】
2008243442.tif 000007